【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
複数種の音声信号を記録媒体に記録したり、或いは前記記録媒体に記録されている複数種の音声信号を再生したりする装置であって、
複数種の音声信号のうちの任意の種類の音声信号を選択し、選択された種類の音声信号を出力する選択出力モードと、複数種の音声信号をミックスして出力するミックス出力モードとを有し、何れかの出力モードを指示する為の出力モード指示手段と、
複数種の音声信号を記録媒体に対して記録する記録動作モードと、前記記録媒体に記録されている複数種の音声信号を再生する再生動作モードとを有し、何れかの動作モードを指示する為の動作モード指示手段と、
前記出力モード指示手段において前記ミックス出力モードが指示されている状態において、前記動作モード指示手段において前記記録動作モードが指示された場合には、前記複数種の音声信号をそれぞれのレベルが均等になるようにミックスして出力し、前記動作モード指示手段において前記再生動作モードが指示された場合には、前記記録媒体から再生される複数種の音声信号を任意に可変可能なミックス比に従ってミックスして出力する音声信号ミックス処理手段とを備えたことを特徴とする音声信号処理装置。
【請求項２】
前記複数種の音声信号の夫々は、２チャンネルの音声信号により構成されていることを特徴とする請求項１に記載の音声信号処理装置。
【請求項３】
前記複数種の音声信号の夫々は、ステレオ音声信号により構成されていることを特徴とする請求項１に記載の音声信号処理装置。
【請求項４】
前記装置は、前記複数種の音声信号と共に当該複数種の音声信号に対応した映像信号を記録媒体に記録したり、或いは前記記録媒体に記録されている複数種の音声信号と当該複数種の音声信号に対応して記録されている映像信号とを再生したりする装置であることを特徴とする請求項１に記載の音声信号処理装置。
【請求項５】
複数系統の音声信号を記録媒体に記録したり、或いは前記記録媒体に記録されている複数系統の音声信号を再生したりする装置であって、
複数系統の音声信号のうちの任意の１系統の音声信号を選択し、選択された１系統の音声信号を出力する選択出力モードと、複数系統の音声信号をミックスして出力するミックス出力モードとを有し、何れかの出力モードを指示する為の出力モード指示手段と、
複数系統の音声信号を記録媒体に対して記録する記録動作モードと、前記記録媒体に記録されている複数系統の音声信号を再生する再生動作モードとを有し、何れかの動作モードを指示する為の動作モード指示手段と、
前記出力モード指示手段において前記ミックス出力モードが指示されている状態において、前記動作モード指示手段において前記記録動作モードが指示された場合には、前記複数系統の音声信号をそれぞれのレベルが均等になるようにミックスして出力し、前記動作モード指示手段において前記再生動作モードが指示された場合には、前記記録媒体から再生される複数系統の音声信号を任意に可変可能なミックス比に従ってミックスして出力する音声信号ミックス処理手段とを備えたことを特徴とする音声信号処理装置。
【請求項６】
前記複数系統の音声信号の夫々の系統は、２チャンネルの音声信号により構成されていることを特徴とする請求項５に記載の音声信号処理装置。
【請求項７】
前記複数系統の音声信号の夫々の系統は、ステレオ音声信号により構成されていることを特徴とする請求項５に記載の音声信号処理装置。
【請求項８】
前記装置は、前記複数系統の音声信号と共に当該複数系統の音声信号に対応した映像信号を記録媒体に記録したり、或いは前記記録媒体に記録されている複数系統の音声信号と当該複数系統の音声信号に対応して記録されている映像信号とを再生したりする装置であることを特徴とする請求項５に記載の音声信号処理装置。
【請求項９】
複数種の音声信号を入力する音声信号入力手段と、
前記複数種の音声信号を記録媒体に対して記録する記録動作モードと、前記記録媒体に記録されている複数種の音声信号を再生する再生動作モードとを有する記録再生手段と、
前記記録再生手段が前記記録動作モードのときには、前記音声入力手段で入力した複数種の音声信号をそれぞれのレベルが均等になるようにミックスし、前記再生動作モードのときには、前記記録媒体から再生される複数種の音声信号を任意に可変可能なミックス比に従ってミックスする音声信号ミックス処理手段と、
前記音声信号ミックス処理手段でミックスされた音声信号をオーディオモニタに出力する出力手段とを備えたことを特徴とする音声信号処理装置。
【請求項１０】
複数系統の音声信号を入力する音声信号入力手段と、
前記複数系統の音声信号を記録媒体に対して記録する記録動作モードと、前記記録媒体に記録されている複数系統の音声信号を再生する再生動作モードとを有する記録再生手段と、
前記記録再生手段が前記記録動作モードのときには、前記音声入力手段で入力した複数系統の音声信号をそれぞれのレベルが均等になるようにミックスし、前記再生動作モードのときには、前記記録媒体から再生される複数系統の音声信号を任意に可変可能なミックス比に従ってミックスする音声信号ミックス処理手段と、
前記音声信号ミックス処理手段でミックスされた音声信号をオーディオモニタに出力する出力手段とを備えたことを特徴とする音声信号処理装置。
【手続補正２】
【補正対象書類名】明細書
【補正対象項目名】０００６
【補正方法】変更
【補正の内容】
【０００６】
【課題を解決するための手段】
本発明の音声信号処理装置は、複数種の音声信号を記録媒体に記録したり、或いは前記記録媒体に記録されている複数種の音声信号を再生したりする装置であって、複数種の音声信号のうちの任意の種類の音声信号を選択し、選択された種類の音声信号を出力する選択出力モードと、複数種の音声信号をミックスして出力するミックス出力モードとを有し、何れかの出力モードを指示する為の出力モード指示手段と、複数種の音声信号を記録媒体に対して記録する記録動作モードと、前記記録媒体に記録されている複数種の音声信号を再生する再生動作モードとを有し、何れかの動作モードを指示する為の動作モード指示手段と、前記出力モード指示手段において前記ミックス出力モードが指示されている状態において、前記動作モード指示手段において前記記録動作モードが指示された場合には、前記複数種の音声信号をそれぞれのレベルが均等になるようにミックスして出力し、前記動作モード指示手段において前記再生動作モードが指示された場合には、前記記録媒体から再生される複数種の音声信号を任意に可変可能なミックス比に従ってミックスして出力する音声信号ミックス処理手段とを備えたものであり、また、複数系統の音声信号を記録媒体に記録したり、或いは前記記録媒体に記録されている複数系統の音声信号を再生したりする装置であって、複数系統の音声信号のうちの任意の１系統の音声信号を選択し、選択された１系統の音声信号を出力する選択出力モードと、複数系統の音声信号をミックスして出力するミックス出力モードとを有し、何れかの出力モードを指示する為の出力モード指示手段と、複数系統の音声信号を記録媒体に対して記録する記録動作モードと、前記記録媒体に記録されている複数系統の音声信号を再生する再生動作モードとを有し、何れかの動作モードを指示する為の動作モード指示手段と、前記出力モード指示手段において前記ミックス出力モードが指示されている状態において、前記動作モード指示手段において前記記録動作モードが指示された場合には、前記複数系統の音声信号をそれぞれのレベルが均等になるようにミックスして出力し、前記動作モード指示手段において前記再生動作モードが指示された場合には、前記記録媒体から再生される複数系統の音声信号を任意に可変可能なミックス比に従ってミックスして出力する音声信号ミックス処理手段とを備えたものである。
また、本発明の音声信号処理装置は、複数種の音声信号を入力する音声信号入力手段と、前記複数種の音声信号を記録媒体に対して記録する記録動作モードと、前記記録媒体に記録されている複数種の音声信号を再生する再生動作モードとを有する記録再生手段と、前記記録再生手段が前記記録動作モードのときには、前記音声入力手段で入力した複数種の音声信号をそれぞれのレベルが均等になるようにミックスし、前記再生動作モードのときには、前記記録媒体から再生される複数種の音声信号を任意に可変可能なミックス比に従ってミックスする音声信号ミックス処理手段と、前記音声信号ミックス処理手段でミックスされた音声信号をオーディオモニタに出力する出力手段とを備えたものである。
また、本発明の音声信号処理装置は、複数系統の音声信号を入力する音声信号入力手段と、前記複数系統の音声信号を記録媒体に対して記録する記録動作モードと、前記記録媒体に記録されている複数系統の音声信号を再生する再生動作モードとを有する記録再生手段と、前記記録再生手段が前記記録動作モードのときには、前記音声入力手段で入力した複数系統の音声信号をそれぞれのレベルが均等になるようにミックスし、前記再生動作モードのときには、前記記録媒体から再生される複数系統の音声信号を任意に可変可能なミックス比に従ってミックスする音声信号ミックス処理手段と、前記音声信号ミックス処理手段でミックスされた音声信号をオーディオモニタに出力する出力手段とを備えたものである。